(57)【特許請求の範囲】
【請求項１】
第１の配線基板に固定される第１のハウジング，各々が上記第１の配線基板に設けられた配線端子部に接続される基板接続部を有して上記第１のハウジングに配列配置された複数の第１のコンタクト、及び、上記第１のハウジングに装着された第１の取付金属部材とを備えた第１のコネクタと、
第２の配線基板に固定され、上記第１のハウジングとの係合状態をとる第２のハウジング，各々が上記第２の配線基板に設けられた配線端子部に接続される基板接続部を有して上記第２のハウジングに配列配置され、上記複数の第１のコンタクトに夫々接触接続される状態をとる複数の第２のコンタクト, 上記第２のハウジングに装着された第２の取付金属部材、及び、上記第２のハウジングに対して移動可能に設けられ、押込み位置と引揚げ位置とを選択的にとる可動操作部材とを備えた第２のコネクタと、
を含んで構成され、
上記第１の取付金属部材に第１の係合係止部が設けられるとともに、上記第２の取付金属部材に第２の係合係止部が設けられ、
上記第２のハウジングが上記第１のハウジングとの係合状態をとるとき、上記複数の第２のコンタクトが上記複数の第１のコンタクトに夫々接触接続されて、上記第２の配線基板が上記第１の配線基板に電気的に連結されるとともに、上記第２の係合係止部が上記第１の係合係止部に係合して上記第２のハウジングを上記第１のハウジングに対して係止し、
上記第２の係合係止部が上記第１の係合係止部に対する係合状態をとるもとで上記可動操作部材が上記押込み位置をとるとき、もしくは、上記可動操作部材が上記押込み位置をとるもとで上記第２の係合係止部が上記第１の係合係止部に対する係合状態をとるとき、上記可動操作部材によって上記第２の係合係止部の上記第１の係合係止部に対する係合状態の解除が禁止され、上記可動操作部材が上記引揚げ位置をとるとき、上記第２の係合係止部の上記第１の係合係止部に対する係合状態の解除が許容されることを特徴とする配線基板連結装置。
【請求項２】
上記第２の係合係止部が上記第２のハウジングに対して移動可能に設けられ、上記可動操作部材が上記押込み位置をとるとき、該可動操作部材が上記第２の係合係止部の上記第２のハウジングに対する移動を阻止するものとされ、上記第２のハウジングが上記第１のハウジングとの係合状態をとるもとで上記可動操作部材が上記押込み位置をとるとき、上記第２の係合係止部の上記第１の係合係止部に対する係合状態の解除が禁止されることを特徴とする請求項１記載の配線基板連結装置。
【請求項３】
上記第１の係合係止部が上記第１のハウジングに対して移動可能に設けられ、上記可動操作部材が上記押込み位置をとるもとで上記第２の係合係止部が上記第１の係合係止部に当接するとき、上記第１の係合係止部が上記第１のハウジングに対する移動を生じて、上記第２の係合係止部に上記第１の係合部材との係合状態をとらせることを特徴とする請求項２記載の配線基板連結装置。
【請求項４】
上記第１の取付金属部材が、上記第１のハウジングの周側壁部を全面的もしくは部分的に覆う状態をもって上記第１のハウジングに取り付けられて、上記第１の配線基板に接続され、上記第２の取付金属部材が、上記第２のハウジングの一部分に取り付けられて、上記第２の配線基板に接続されることを特徴とする請求項１記載の配線基板連結装置。
【請求項５】
上記可動操作部材が、上記複数の第２のコンタクトの配列方向に伸びる棒状部材とされ、上記押込み位置をとるとき、上記棒状部材の端部を上記第２の係合係止部に当接もしくは近接させて、上記第２の係合係止部の上記第２のハウジングに対する移動を阻止し、上記記第２の係合係止部の上記第１の係合部材に対する係合状態の解除を禁止することを特徴とする請求項２記載の配線基板連結装置。
【請求項６】
上記棒状部材が、上記複数の第２のコンタクトの配列方向に沿う中間部と該中間部の両端に夫々設けられた屈曲部とを有し、上記中間部が上記第２の配線基板外に突出するとともに、上記屈曲部が上記中間部から上記第２の配線基板に設けられた透孔を通じて上記第２のハウジング内に伸びて上記端部を形成することを特徴とする請求項５記載の配線基板連結装置。
【請求項７】
上記第２の取付金属部材に、上記可動操作部材が上記引揚げ位置をとるとき上記棒状部材における上記屈曲部に当接して、該屈曲部についての位置規制を行う位置規制部が設けられたことを特徴とする請求項６記載の配線基板連結装置。
【請求項８】
上記第１のコネクタが、上記第１のハウジングの上記第１のコンタクトの配列方向における両端部の夫々に上記第１の係合係止部が設けられたものとされるとともに、上記第２のコネクタが、上記第２のハウジングの上記第２のコンタクトの配列方向における両端部の夫々に上記第２の係合係止部が設けられたものとされ、上記第２の係合係止部が上記第１の係合係止部に対する係合状態をとるもとで、上記可動操作部材が上記押込み位置をとるとき、該可動操作部材の上記第２のコンタクトの配列方向における両端部の夫々によって上記第２の係合係止部の上記第１の係合係止部に対する係合状態の解除が禁止されることを特徴とする請求項１記載の配線基板連結装置。
【発明の詳細な説明】
【技術分野】
【０００１】
本願の特許請求の範囲に記載された発明は、二つの配線基板が相互に対面近接して重ね合わせられるもとで、各配線基板に設けられた配線端子部に電気的に相互接続された状態をとらせて、両配線基板を連結する配線基板連結装置に関する。
【背景技術】
【０００２】
携帯電話機等の比較的小型な電子機器においても、種々の電子部品が多数内蔵されるが、それらの電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたっては、占有容積をできるだけ小とすべく、一方が他方に対面近接して重ね合わせられる配置をとって相互連結されざるを得ないものとされる。このような二つの配線基板のうちの一方が他方に対面近接して重ね合わせられる連結態様を、以下においては対面近接重ね合わせ連結ということとする。
【０００３】
一般的に、複数の配線基板の相互連結は、各配線基板にコネクタが取り付けられ、それらのコネクタが相互接続されることにより行われることが多く、二つの配線基板についての対面近接重ね合わせ連結をする場合においても、各配線基板に取り付けられるコネクタを用いることが考えられる。従来にあっては、二つの配線基板についての対面近接重ね合わせ連結をするためのコネクタを含んだ基板連結装置が幾つか提案されている（例えば、特許文献１，特許文献２及び特許文献３参照。）。
【０００４】
特許文献１に示される基板連結装置は、第１の配線基板（基板(110))及び第２の配線基板（基板(210))が対面近接重ね合わせ連結の対象とされるもとで、第１の配線基板に取り付けられる第１のコネクタ（コネクタピース(100))と第２の配線基板に取り付けられる第２のコネクタ（コネクタピース(200))とを含んで構成されている。第１のコネクタは、ハウジング(130) に配列配置された複数の第１のコンタクト（コンタクト(120))を備えており、また、第２のコネクタは、ハウジング(230) に配列配置された複数の第２のコンタクト（コンタクト(220))を備えている。そして、複数の第１のコネクタの夫々の先端部は、弾性変形を生じる略Ｕ字状に折り曲げられた部分を形成している。
【０００５】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトの夫々における略Ｕ字状に折り曲げられた部分を形成する先端部が、第２のコネクタが備える複数の第２のコンタクトのうちの対応するものに接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００６】
斯かる際、複数の第１のコンタクトの夫々の先端部が弾性変形を生じる略Ｕ字状に折り曲げられた部分を形成していて、斯かる先端部が、複数の第２のコンタクトのうちの対応するものに、弾性変形による接触圧を作用させるもとで接触接続されるので、複数の第１のコンタクトと複数の第２のコンタクトとの相互接続が確実に行われることが期待される。
【０００７】
また、特許文献２に示される基板連結装置は、第１の配線基板（プリント配線基板(26)) 及び第２の配線基板（プリント配線基板(22)) が対面近接重ね合わせ連結の対象とされるもとで、第１の配線基板に取り付けられる第１のコネクタ（雄型のコネクタ部(24)) と第２の配線基板に取り付けられる第２のコネクタ（雌型のコネクタ部(20)) とを含んで構成されている。第１のコネクタは、第１のハウジング（基台部(24M))に配列配置された複数の第１のコンタクト（コンタクト端子(28Ai),(28Bi))を備えており、また、第２のコネクタは、第２のハウジング（基台部(20M))に配列配置された複数の第２のコンタクト（コンタクト端子(34Ai),(34Bi))を備えている。そして、第１のコネクタにおいては、第１のハウジングに圧入された保持具(30)の嵌合部(30m) に爪部(30N) が形成されており、また、第２のコネクタにおいては、第２のハウジングに圧入された保持具(32)の弾性片(32mr)に突起部(32mn)が形成されている。
【０００８】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００９】
斯かる際、第１のコネクタにおける第１のハウジングに圧入された保持具(30)の嵌合部(30m) に形成された爪部(30N) が、第２のコネクタにおける第１のハウジングに圧入された保持具(32)の弾性片(32mr)に形成された突起部(32mn)に係合して、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。
【００１０】
さらに、特許文献３に示される基板連結装置は、第１の配線基板（プラグ用基板(53)) 及び第２の配線基板（ソケット用基板(33)) が対面近接重ね合わせ連結の対象とされるもとで、第１の配線基板に取り付けられる第１のコネクタ（プラグ(40)) と第２の配線基板に取り付けられる第２のコネクタ（ソケット(10)) とを含んで構成されている。第１のコネクタは、第１のハウジング（絶縁ハウジング(41)) に配列配置された複数の第１のコンタクト（第１端子(42)及び第２端子(43)) を備えており、また、第２のコネクタは、第２のハウジング（絶縁ハウジング(11)) に配列配置された複数の第２のコンタクト（第１接点(12)及び第２接点(13)) を備えている。そして、第１のコネクタにおいては、第１のハウジングに拘止突部(52)が形成されており、また、第２のコネクタにおいては、第２のハウジングに係合窓(29)が形成されたロックバネ(27)が取り付けられている。それに加えて、第１のコネクタが取り付けられた第１の配線基板における、それに取り付けられた第１のコネクタにおける第１のハウジングに形成された拘止突部(52)の先端部に対応する位置に、ロック解除窓(56)が透孔をなすものとして形成されている。
【００１１】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【００１２】
斯かる際、第２のコネクタにおける第２のハウジングに取り付けられたロックバネ(27)に形成された係合窓(29)が、第１のコネクタにおける第１のハウジングに形成された拘止突部(52)に係合して、第１のハウジングに対するロック状態をとり、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。このとき、それに形成された係合窓(29)に第１のハウジングに形成された拘止突部(52)が係合するものとされたロックバネ(27)は、その先端部分が第１の配線基板に設けられたロック解除窓(56)を通じて第１の配線基板外に臨むものとされる。
【００１３】
その後、第１の配線基板と第２の配線基板とを対面近接重ね合わせ連結状態から解放するにあたっては、第１の配線基板に設けられたロック解除窓(56)を通じて第１の配線基板外に臨むものとされたロックバネ(27)の先端部分が、それに対するロック解除窓(56)における第１の配線基板外からの操作により、ロックバネ(27)に形成された係合窓(29)が第１のハウジングに形成された拘止突部(52)との係合を解除するように変位せしめられ、それにより、ロックバネ(27)に形成された係合窓(29)による第１のハウジングに対するロック状態が解除される。従って、第１のコネクタ及び第２のコネクタの外部からそれらの相互係合状態を解除して、第１の配線基板と第２の配線基板とを対面近接重ね合わせ連結状態から解放することができる状態をとることができる。
【先行技術文献】
【特許文献】
【００１４】
【特許文献１】特開２０００−２６０５０９号公報（段落００３３〜００４３，図４, ５）
【特許文献２】特開２００４−５５３０６号公報（段落００２０〜００３１，図１〜８）
【特許文献３】特開２００６−２４４９５５号公報（段落００２３〜００３４，図１〜５，８，１０，１１，１４，１５）
【発明の概要】
【発明が解決しようとする課題】
【００１５】
上述のような、従来提案されている、幾つかの、二つの配線基板についての対面近接重ね合わせ連結をするためのコネクタを含んだ基板連結装置にあっては、それらの夫々に次のような不都合が見られる。
【００１６】
先ず、特許文献１に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段が備えられていない。従って、例えば、相互係合した第１のコネクタと第２のコネクタとのうちのいずれか一方もしくは双方に不所望な外力が作用した場合に、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなくなってしまう虞がある。
【００１７】
また、特許文献２に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに圧入された保持具(30)の嵌合部(30m) に形成された爪部(30N) と、第２のコネクタにおける第２のハウジングに圧入された保持具(32)の弾性片(32mr)に形成され、それに爪部(30N) が係合する突起部(32mn)とが備えられている。しかしながら、爪部(30N) が形成された保持具(30)の嵌合部(30m) 及び突起部(32mn)が形成された保持具(32)の弾性片(32mr)の夫々の構造上、爪部(30N) の突起部(32mn)との係合は然程堅固なものとはされ得ず、それゆえ、例えば、相互係合した第１のコネクタと第２のコネクタとのうちのいずれか一方もしくは双方に、比較的大なる外力が不所望に作用した場合には、爪部(30N) が突起部(32mn)との係合から外れてしまい、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなくなる虞がある。
【００１８】
さらに、特許文献３に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに形成された拘止突部(52)と、第２のコネクタにおける第２のハウジングに取り付けられたロックバネ(27)に形成され、拘止突部(52)に係合して第１のハウジングに対するロック状態をとる係合窓(29)とが備えられている。しかしながら、第１のハウジングに形成された拘止突部(52)及び係合窓(29)が形成されて第２のハウジングに取り付けられたロックバネ(27)の夫々の構造上、係合窓(29)の拘止突部(52)との係合は然程堅固なものとはされ得ず、それゆえ、例えば、相互係合した第１のコネクタと第２のコネクタとのうちのいずれか一方もしくは双方に、比較的大なる外力が不所望に作用した場合には、係合窓(29)が拘止突部(52)との係合から外れてしまい、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなくなる虞がある。
【００１９】
それに加えて、特許文献３に示される基板連結装置には、第１の配線基板と第２の配線基板とを対面近接重ね合わせ連結状態から解放すべく、第１の配線基板に設けられたロック解除窓(56)を通じて第１の配線基板外に臨むものとされたロックバネ(27)の先端部分を、ロック解除窓(56)において第１の配線基板外から変位させる操作を行うにあたっては、斯かる操作のための特別な工具等が必要とされるという問題がある。
【００２０】
斯かる点に鑑み、本願の特許請求の範囲に記載された発明は、第１の配線基板と第２の配線基板とを対面近接重ね合わせ連結によって電気的に相互連結するための機構を成すものであって、第１の配線基板に固定される第１のハウジングを有した第１のコネクタと第２の配線基板に固定される第２のハウジングを有した第２のコネクタとを含んで構成され、第１のコネクタと第２のコネクタとが相互係合した状態のもとで、第２のコネクタにおける第２のハウジングの第１のコネクタにおける第１のハウジングからの不所望な離脱を阻止する係止手段を備え、斯かる手段により第１のコネクタと第２のコネクタとの相互係合状態を極めて安定かつ堅固に維持することができ、また、第１のコネクタと第２のコネクタとを相互係合状態から解放するにあたっては、特別な工具等の使用を必要としない極めて簡単で容易な操作により、しかも、第１のコネクタ及び第２のコネクタのいずれにも不所望な力を作用させることなく、第２のコネクタにおける第２のハウジングを第１のコネクタにおける第１のハウジングから離脱させることができる配線基板連結装置を提供する。
【課題を解決するための手段】
【００２１】
本願の特許請求の範囲における請求項１から請求項８までのいずれかに記載された発明（以下、本願発明という。）に係る配線基板連結装置は、第１の配線基板に固定される第１のハウジング，各々が第１の配線基板に設けられた配線端子部に接続される基板接続部を有して第１のハウジングに配列配置された複数の第１のコンタクト、及び、第１のハウジングに装着された第１の取付金属部材とを備えた第１のコネクタと、第２の配線基板に固定され、第１のハウジングとの係合状態をとる第２のハウジング，各々が第２の配線基板に設けられた配線端子部に接続される基板接続部を有して第２のハウジングに配列配置され、複数の第１のコンタクトに夫々接触接続される状態をとる複数の第２のコンタクト, 第２のハウジングに装着された第２の取付金属部材、及び、第２のハウジングに対して移動可能に設けられ、押込み位置と引揚げ位置とを選択的にとる可動操作部材とを備えた第２のコネクタと，を含んで構成される。そして、第１の取付金属部材に第１の係合係止部が設けられるとともに、第２の取付金属部材に第２の係合係止部が設けられ、第２のハウジングが第１のハウジングとの係合状態をとるとき、複数の第２のコンタクトが複数の第１のコンタクトに夫々接触接続されて、第２の配線基板が第１の配線基板に電気的に連結されるとともに、第２の係合係止部が第１の係合係止部に係合して第２のハウジングを第１のハウジングに対して係止し、さらに、第２の係合係止部が第１の係合係止部に対する係合状態をとるもとで可動操作部材が押込み位置をとるとき、もしくは、可動操作部材が押込み位置をとるもとで第２の係合係止部が第１の係合係止部に対する係合状態をとるとき、可動操作部材によって第２の係合係止部の第１の係合係止部に対する係合状態の解除が禁止され、可動操作部材が引揚げ位置をとるとき、第２の係合係止部の第１の係合係止部に対する係合状態の解除が許容される。
【００２２】
第１の係合係止部が設けられた第１の取付金属部材は、第１の配線基板に接続されて、例えば、第１のハウジングの第１の配線基板に対する固定に寄与するとともにグラウンド電位が与えられる。同様に、第２の係合係止部が設けられた第２の取付金属部材は、第２の配線基板に接続されて、例えば、第２のハウジングの第２の配線基板に対する固定に寄与するとともにグラウンド電位が与えられる。
【００２３】
上述のような本願発明に係る配線基板連結装置にあっては、第１の配線基板における第１のコネクタが有する第１のハウジングが固定された面に、第２の配線基板における第２のコネクタが有する第２のハウジングが固定された面が対向するものとされて、第２の配線基板が第１の配線基板に対面近接して重ね合わせられたとき、第２のハウジングが第１のハウジングとの係合状態をとる。このとき、第２のハウジングに配列配置された複数の第２のコンタクトが、第１のハウジングに配列配置された複数の第１のコンタクトに夫々接触接続される。それにより、第１のコネクタと第２のコネクタとは相互係合状態におかれて、第２の配線基板に設けられた複数の配線端子部が、複数の第２のコンタクト及び複数の第１のコンタクトを介して、第１の配線基板に設けられた複数の配線端子部に夫々接続され、その結果、第１の配線基板と第２の配線基板とが対面近接重ね合わせ連結によって電気的に相互連結される。
【００２４】
また、その際、第２のハウジングに装着された第２の取付金属部材に設けられた第２の係合係止部が、第１のハウジングに装着された第１の取付金属部材に設けられた第１の係合係止部に対する係合状態をとり、第２のハウジングを第１のハウジングに対して係止する。そして、第２のハウジングに対して移動可能に設けられて押込み位置と引揚げ位置とを選択的にとるものとされた可動操作部材が、第２の係合係止部が第１の係合係止部に対する係合状態をとるもとで押込み位置をとるとき、もしくは、可動操作部材が押込み位置をとるもとで、第２の係合係止部が第１の係合係止部に対する係合状態をとるとき、可動操作部材によって第２の係合係止部の第１の係合係止部に対する係合状態の解除が禁止される。その後、可動操作部材が引揚げ位置をとるものとされるとき、第２の係合係止部の第１の係合係止部に対する係合状態の解除が許容される。即ち、第１の係合係止部と第２の係合係止部とは、第２のコネクタにおける第２のハウジングの第１のコネクタにおける第１のハウジングからの不所望な離脱を阻止する係止手段を構成しているのである。
【００２５】
斯かる係止手段にあっては、第２の取付金属部材に設けられた第２の係合係止部が、例えば、第２のハウジングに対して移動可能とされ、可動操作部材が押込み位置をとるとき、その可動操作部材が第２の係合係止部の第２のハウジングに対する移動を阻止するものとされる。そして、第２のハウジングが第１のハウジングとの係合状態をとるもとで可動操作部材が押込み位置をとるときには、それにより、第２の係合係止部の第１の係合係止部に対する係合状態の解除が禁止される。
【００２６】
また、第１の取付金属部材に設けられた第１の係合係止部が、例えば、第２の係合係止部が第２のハウジングに対して移動可能とされ、可動操作部材が押込み位置をとるときには第２の係合係止部の第２のハウジングに対する移動が阻止されるもとで、第１のハウジングに対して移動可能に設けられ、可動操作部材が押込み位置をとるもとで第２の係合係止部が第１の係合係止部に当接するとき、第１の係合係止部が、第１のハウジングに対する移動を生じて、第２の係合係止部に第１の係合部材との係合状態をとらせる。
【００２７】
そして、可動操作部材に押込み位置をとらせるための操作及び可動操作部材に引揚げ位置をとらせるための操作は、特別な工具等を用いることなく可動操作部材に直接に加えられる極めて簡単で容易なものとされる。斯かる操作のため、可動操作部材は、例えば、複数の第２のコンタクトの配列方向に伸びる棒状部材とされ、その棒状部材が、複数の第２のコンタクトの配列方向に沿う中間部とその両端に夫々設けられた屈曲部とを有し、中間部が、第２の配線基板外に突出するとともに、屈曲部が中間部分から第２の配線基板に設けられた透孔を通じて第２のハウジング内に伸びて、第２の係合係止部の第２のハウジングに対する移動を阻止する状態をとり得るものとされる。
【発明の効果】
【００２８】
本願発明に係る配線基板連結装置にあっては、第１のコネクタと第２のコネクタとが相互係合した状態におかれ、第２のハウジングが第１のハウジングとの係合状態をとり、第２のハウジングに配列配置された複数の第２のコンタクトが第１のハウジングに配列配置された複数の第１のコンタクトに夫々接触接続されたとき、第２のハウジングに装着された第２の取付金属部材に設けられた第２の係合係止部が、第１のハウジングに装着された第１の取付金属部材に設けられた第１の係合係止部に係合して、第２のハウジングを第１のハウジングに対して係止する係合状態をとる。そして、このようなもとで、可動操作部材が押込み位置をとるものとされると、その可動操作部材によって第２の係合係止部の第１の係合係止部に対する係合状態の解除が禁止され、その結果、第２のハウジングの第１のハウジングからの不所望な離脱が阻止される。斯かる際、例えば、第２の係合係止部が第２のハウジングに対して移動可能とされ、斯かるもとで、押込み位置をとる可動操作部材が第２の係合係止部の第２のハウジングに対する移動を阻止し、それにより、第２の係合係止部の第１の係合係止部に対する係合状態の解除が禁止される。
【００２９】
従って、本願発明に係る配線基板連結装置によれば、第１のハウジングに装着された第１の取付金属部材に設けられた第１の係合係止部と第２のハウジングに装着された第２の取付金属部材に設けられた第２の係合係止部とが、第２のコネクタにおける第２のハウジングの第１のコネクタにおける第１のハウジングからの不所望な離脱を阻止する係止手段を構成するもとにおいて、第１の係合係止部に係合した係合状態をとる第２の係合係止部が、押込み位置をとる可動操作部材によって第１の係合係止部との係合状態の解除が禁止されるものとされるので、第２のハウジングが第１のハウジングとの係合状態をとり、それに伴って、第２のハウジングに配列配置された複数の第２のコンタクトが第１のハウジングに配列配置された複数の第１のコンタクトとの接触接続状態をとる、第１のコネクタと第２のコネクタとの相互係合状態を、極めて安定かつ堅固に維持することができる。
【００３０】
第１のコネクタと第２のコネクタとが相互係合した状態におかれ、第２のハウジングが第１のハウジングとの係合状態をとったもとで、可動操作部材に押込み位置をとらせる操作は、例えば、その一部が第２のハウジングが固定された第２の配線基板外に突出するものとされる可動操作部材を、第２の配線基板外から第２のハウジング内に向かう方向に押し込むだけの、極めて簡単で容易なものとされる。従って、特別な工具等の使用を必要としない極めて簡単で容易な操作により、しかも、第１のコネクタ及び第２のコネクタのいずれにも不所望な力を作用させることなく、第２のハウジングに装着された第２の取付金属部材に設けられた第２の係合係止部を、第１のハウジングに装着された第１の取付金属部材に設けられた第１の係合係止部との係合状態の解除が禁止される状態におくことができることになる。
【００３１】
さらに、本願発明に係る配線基板連結装置にあっては、第２のハウジングに装着された第２の取付金属部材に設けられた第２の係合係止部が第１のハウジングに装着された第１の取付金属部材に設けられた第１の係合係止部との係合状態をとるもとで、押込み位置をとっていた可動操作部材が引揚げ位置をとるものとされると、可動操作部材による第２の係合係止部の第１の係合係止部との係合状態の解除禁止が解かれる。それにより、第２の係合係止部の第１の係合係止部に対する移動が可能とされ、第２の係合係止部の第１の係合係止部に対する係合状態の解除が許容されて、第１のコネクタと第２のコネクタとを相互係合状態から解放することができる状態が得られる。
【００３２】
斯かるもとで、第１のコネクタと第２のコネクタとが相互係合した状態におかれ、第２のハウジングが第１のハウジングとの係合状態をとったもとで、押込み位置をとっていた可動操作部材に引揚げ位置をとらせる操作は、例えば、その一部が第２のハウジングが固定された第２の配線基板外に突出する可動操作部材を、第２のハウジング内から第２の配線基板外に向かう方向に引き揚げるだけの、極めて簡単で容易なものとされる。従って、特別な工具等の使用を必要としない極めて簡単で容易な操作により、しかも、第１のコネクタ及び第２のコネクタのいずれにも不所望な力を作用させることなく、第２のハウジングに装着された第２の取付金属部材に設けられた第２の係合係止部についての、第１のハウジングに装着された第１の取付金属部材に設けられた第１の係合係止部との係合状態の解除禁止を解いて、第１のコネクタと第２のコネクタとを相互係合状態から解放することができる状態におくことができる。
【図面の簡単な説明】
【００３３】
【図１】本願発明に係る配線基板連結装置の一例を構成するプラグコネクタをそのハウジングが固定された第１の配線基板と共に示す斜視図である。
【図２】図１に示されるプラグコネクタと第１の配線基板とを示す平面図である。
【図３】図１に示されるプラグコネクタが備えるプラグ側取付金属部材を単体で示す斜視図である。
【図４】本願発明に係る配線基板連結装置の一例を構成するリセプタクルコネクタの部分をリセプタクルコネクタのハウジングが固定された第２の配線基板と共に示す斜視図である。
【図５】本願発明に係る配線基板連結装置の一例を構成するリセプタクルコネクタを示す斜視図である。
【図６】図５に示されるリセプタクルコネクタを示す平面図である。
【図７】図５に示されるリセプタクルコネクタをそのハウジングが固定された第２の配線基板と共に示す底面図である。
【図８】図５に示されるリセプタクルコネクタが備えるリセプタクル側取付金属部材を単体で示す斜視図である。
【図９】図５に示されるリセプタクルコネクタが備えるリセプタクル側取付金属部材を単体で示す斜視図である。
【図１０】図５に示されるリセプタクルコネクタをそのハウジングに可動操作部材が装着される前の状態をもって示す斜視図である。
【図１１】図５に示されるリセプタクルコネクタを、そのハウジングが固定された第２の配線基板と共に、そのハウジングに可動操作部材が装着される前の状態をもって示す断面図である。
【図１２】図５に示されるリセプタクルコネクタをそのハウジングに可動操作部材が装着される途中の状態をもって示す斜視図である。
【図１３】図５に示されるリセプタクルコネクタを、そのハウジングが固定された第２の配線基板と共に、そのハウジングに可動操作部材が装着される途中の状態をもって示す断面図である。
【図１４】図５に示されるリセプタクルコネクタをそのハウジングに可動操作部材が装着されて引揚げ位置をとる状態をもって示す断面図である。
【図１５】図１に示される第１の配線基板を伴ったプラグコネクタと図４に示される第２の配線基板を伴ったリセプタクルコネクタとが相互対向配置された状態を示す斜視図である。
【図１６】相互対向配置されたプラグコネクタと第２の配線基板を伴ったリセプタクルコネクタとの夫々の部分を示す断面図である。
【図１７】図１に示されるプラグコネクタに図５に示されるリセプタクルコネクタが係合せしめられる途中の状態を部分的に示す断面図である。
【図１８】図１に示されるプラグコネクタに図５に示されるリセプタクルコネクタが係合せしめられ、リセプタクルコネクタに備えられた可動操作部材が引揚げ位置をとる状態を部分的に示す断面図である。
【図１９】図１に示されるプラグコネクタに図５に示されるリセプタクルコネクタが係合せしめられ、リセプタクルコネクタに備えられた可動操作部材が押込み位置をとる状態を部分的に示す断面図である。
【図２０】図１に示されるプラグコネクタに図５に示されるリセプタクルコネクタがそれに備えられた可動操作部材が押込み位置をとるもとで係合せしめられる途中の状態を部分的に示す断面図である。
【図２１】図１に示される第１の配線基板を伴ったプラグコネクタに図４に示される第２の配線基板を伴ったリセプタクルコネクタが係合せしめられた状態を示す断面図である。
【発明を実施するための形態】
【００３４】
本願発明を実施するための形態は、以下に述べられる本願発明についての実施例をもって説明される。
【実施例】
【００３５】
図１（斜視図）及び図２（平面図）は、本願発明に係る配線基板連結装置の一例を構成する第１のコネクタを成すプラグコネクタ１１及びプラグコネクタ１１が取り付けられた配線基板（第１の配線基板）１２を示す。プラグコネクタ１１は、合成樹脂等の絶縁材料によって形成されたハウジング１３を備えており、ハウジング１３は配線基板１２における面の一つに固定されている。
【００３６】
ハウジング１３には、その長手方向に沿って互いに平行に伸びる一対の横長凸部１４が形成されており、一対の横長凸部１４の夫々には、複数のプラグ側コンタクト（第１のコンタクト）１５の一部分がハウジング１３の長手方向に沿って配列配置されている。複数のプラグ側コンタクト１５の夫々は、弾性を有した導電性板材により形成された屈曲帯状部材を成すものとされていて、配線基板１２に設けられた配線端子部１２ａに、例えば、半田付けにより接続される基板接続部１５ａと、後述される第２のコネクタを成すリセプタクルコネクタに備えられるリセプタクル側コンタクトに当接する接触接続部１５ｂとが、夫々帯状部材の両端部分を成すものとして設けられている。
【００３７】
上述のようにして、各々の一部分が一対の横長凸部１４のいずれかに配された複数のプラグ側コンタクト１５は、夫々が基板接続部１５ａと接触接続部１５ｂとが設けられたものとされ、各々の接触接続部１５ｂを相互対向させる２個の列を成す状態をもって、ハウジング１３にその長手方向に沿って配列配置されていることになる。
【００３８】
また、ハウジング１３には、プラグ側取付金属部材１６が、ハウジング１３の周側壁部の外面を全面的に覆う状態をもって装着されている。なお、図１及び図２に示されるプラグ側取付金属部材１６は、ハウジング１３の周側壁部の外面を全面的に覆う状態をもってハウジング１３に装着されているが、斯かるプラグ側取付金属部材１６に代えて、ハウジング１３の周側壁部の外面を全面的ではなく部分的に覆う状態をもってハウジング１３に装着されるものとされるプラグ側取付金属部材１６が用いられてもよい。
【００３９】
プラグ側取付金属部材１６は、ハウジング１３の長手方向に一致する複数のプラグ側コンタクト１５の配列方向（以下、第１のコンタクト配列方向という。）に伸びて相互対向する一対の長平板状部１６ａと、第１のコンタクト配列方向に伸びて相互対向する一対の短平板状部１６ｂとを有している。一対の長平板状部１６ａのうちの一方は、重ね継ぎ部１６ｃを含んでいる。そして、一対の短平板状部１６ｂのうちの一方は、一対の長平板状部１６ａの夫々における第１のコンタクト配列方向における両端部のうちの一方同士を連結しており、また、一対の短平板状部１６ｂのうちの他方は、一対の長平板状部１６ａの夫々における第１のコンタクト配列方向における両端部のうちの他方同士を連結している。それにより、一対の短平板状部１６ｂは、プラグ側取付金属部材１６における第１のコンタクト配列方向において対向する両端部を夫々構成していることになる。
【００４０】
図３に示されるように、プラグ側取付金属部材１６においては、一対の長平板状部１６ａの夫々における図３において上端縁部分となる部分に、複数のハウジング係合部１７が形成されており、さらに、一対の長平板状部１６ａの夫々における図３において下端縁部分となる部分に、複数のグラウンド接続取付部１８が形成されている。また、一対の短平板状部１６ｂの夫々における図３において上端縁部分となる部分に、それからプラグ側取付金属部材１６の内側に屈曲して伸びる係合係止部（第１の係合係止部）１９が設けられており、この係合係止部１９は、それに、後述される第２のコネクタを成すリセプタクルコネクタに備えられたリセプタクル側取付金属部材に設けられた係合係止部（第２の係合係止部）が係合するものとされている。
【００４１】
各々に係合係止部１９が設けられて相互対向する一対の短平板状部１６ｂは、夫々の係合係止部１９を伴って相互間の間隔を広げる方向もしくは狭める方向に弾性変位することが可能なものとされている。それにより、例えば、係合係止部１９にプラグ側取付金属部材１６の内側から外側に向かう所定以上の押圧力が作用するときには、短平板状部１６ｂが係合係止部１９を伴ってプラグ側取付金属部材１６の外側に向かって弾性変位する。
【００４２】
図１に示されるように、プラグ側取付金属部材１６に設けられた複数のハウジング係合部１７は、プラグ側取付金属部材１６がハウジング１３に装着されるにあたって、ハウジング１３の図１において上端部分となる部分に係合し、また、プラグ側取付金属部材１６に設けられた複数のグラウンド接続取付部１８の夫々は、プラグ側取付金属部材１６がハウジング１３に装着されたもとにおいて、配線基板１２に設けられたグラウンド電位部１２ｂに、例えば、半田付けにより接続される。それにより、ハウジング１３に装着されたプラグ側取付金属部材１６が、配線基板１２に取り付けられ、ハウジング１３の配線基板１２に対する固定に寄与するとともにグラウンド電位が与えられるものとされる。
【００４３】
図４（斜視図）及び図７（底面図）は、本願発明に係る配線基板連結装置の一例を、図１及び図２に示されるプラグコネクタと共に構成する、第２のコネクタを成すリセプタクルコネクタ２１の部分及びリセプタクルコネクタ２１が取り付けられた配線基板（第２の配線基板）２２を示す。図４においては、リセプタクルコネクタ２１は、配線基板２２の図４における下面側に取り付けられている。そして、配線基板２２には、一対の矩形透孔２３が形成されており、リセプタクルコネクタ２１の一部を成す部材が、矩形透孔２３を通じて、配線基板２２の図４における上面側の外部に導出されている。また、図５（斜視図）及び図６（平面図）は、リセプタクルコネクタ２１を、それが取り付けられた配線基板２２を取り除いた状態をもって示す。
【００４４】
図５〜図７に示されるように、リセプタクルコネクタ２１は、合成樹脂等の絶縁材料によって形成されたハウジング２４を備えており、ハウジング２４は配線基板２２の面の一つに固定されている。ハウジング２４には、各々が弾性を有した導電性板材により形成された屈曲帯状部材を成す複数のリセプタクル側コンタクト（第２のコンタクト）２５が、各々がハウジング２４の長手方向に沿って伸びて相互対向する２個の列を成すものとして配列配置されている。複数のリセプタクル側コンタクト２５の夫々には、配線基板２２に設けられた配線端子部２２ａに、例えば、半田付けによって接続される基板接続部２５ａと、第１のコネクタを成すプラグコネクタ１１が備えるプラグ側コンタクト１５に設けられた接触接続部１５ｂに当接するものとされる接触接続部２５ｂとが、リセプタクル側コンタクト２５の部分を成すものとして設けられている。
【００４５】
また、ハウジング２４には、ハウジング２４の長手方向に一致する複数のリセプタクル側コンタクト２５の配列方向（以下、第２のコンタクト配列方向という。）における両端部分に、一対のリセプタクル側取付金属部材２６が、相互対向する状態をもって装着されている。これら一対のリセプタクル側取付金属部材２６は、各々が単体とされた状態をもって、図８及び図９に夫々示されている。
【００４６】
図８及び図９に示されるように、リセプタクル側取付金属部材２６は、相互対向して配された一対の対向平板状部２７と一対の対向平板状部２７を連結する連結平板状部２８とを有している。そして、一対の対向平板状部２７には、一対のグラウンド接続取付部２９が夫々設けられるとともに、一対の弾性片持片部３０が各々の自由端部を相互対向させて夫々設けられている。また、連結平板状部２８には、係合係止部（第２の係合係止部）３１が設けられている。この係合係止部３１は、前述の第１のコネクタを成すプラグコネクタ１１に備えられたプラグ側取付金属部材１６に設けられた係合係止部１９に係合するものとされている。
【００４７】
係合係止部３１は、リセプタクル側取付金属部材２６における連結平板状部２８の一部分が切り起こされて形成されており、リセプタクル側取付金属部材２６の外方に突出する一対の突起部３３を含んで構成されている。一対の突起部３３の夫々は、図８及び図９において上方に向いた傾斜面３３ａと図８及び図９において下方に向いた傾斜面３３ｂとを有している。このような係合係止部３１を構成する一対の突起部３３が形成された連結平板状部２８は、一対の突起部３３を伴って、リセプタクル側取付金属部材２６の外側に向かう方向及びリセプタクル側取付金属部材２６の内側に向かう方向に弾性揺動することが可能とされている。
【００４８】
リセプタクル側取付金属部材２６に設けられた一対のグラウンド接続取付部２９は、リセプタクル側取付金属部材２６がハウジング２４に装着されたもとにおいて、配線基板２２に設けられたグラウンド電位部２２ｂに、例えば、半田付けにより接続される。それにより、ハウジング２４に装着されたリセプタクル側取付金属部材２６が、配線基板２２に取り付けられ、ハウジング２４の配線基板２２に対する固定に寄与するとともにグラウンド電位が与えられるものとされる。
【００４９】
さらに、リセプタクルコネクタ２１には、ハウジング２４に対して移動可能に設けられる可動操作部材３５が備えられる。可動操作部材３５は、その全体が、例えば、棒状金属材料に屈曲加工が施されて形成されて第２のコンタクト配列方向に伸びる棒状部材とされ、ハウジング２４外において第２のコンタクト配列方向に沿う中間部３６と、中間部３６の両端に夫々設けられてハウジング２４の内部へと伸びる一対の屈曲部３７とを有している。中間部３６には、薄いシート材によって形成された操作タグ３８が装着されている。リセプタクルコネクタ２１が配線基板２２に取り付けられたもとにあっては、図４に示されるように、可動操作部材３５の中間部３６が配線基板２２外に突出するとともに、可動操作部材３５の屈曲部３７が中間部３６の両端の夫々から配線基板２２に設けられた矩形透孔２３を通じてハウジング２４内に伸びるものとされる。
【００５０】
そして、配線基板２２に取り付けられたリセプタクルコネクタ２１に備えられた可動操作部材３５は、操作タグ３８が装着された中間部３６が配線基板２２外において配線基板２２に近接せしめられる押込み位置と、操作タグ３８が装着された中間部３６が配線基板２２外において配線基板２２から離隔せしめられる引揚げ位置とを選択的にとる。可動操作部材３５が押込み位置をとるものとされるときには、例えば、引揚げ位置をとる可動操作部材３５に、その中間部３６をハウジング２４に向かう方向に変位させる押込み操作が加えられ、また、可動操作部材３５が引揚げ位置をとるものとされるときには、例えば、押込み位置をとる可動操作部材３５に、その中間部３６をハウジング２４から離隔する方向に変位させる引揚げ操作が加えられる。可動操作部材３５に加えられる、その中間部３６をハウジング２４から離隔する方向に変位させる引揚げ操作は、例えば、中間部３６に装着された操作タグ３８が引き揚げられることによって行われる。
【００５１】
可動操作部材３５の中間部３６の両端部の夫々からハウジング２４の内部へと伸びる屈曲部３７は、可動操作部材３５が押込み位置をとるとき、ハウジング２４内においてリセプタクル側取付金属部材２６に設けられた係合係止部３１に当接もしくは近接する可動操作部材３５の端部を形成している。ハウジング２４内において係合係止部３１に当接もしくは近接した可動操作部材３５の端部は、係合係止部３１の移動を阻止する役割を果たす。
【００５２】
また、可動操作部材３５の中間部３６の両端の夫々からハウジング２４の内部へと伸びる屈曲部３７は、その先端部分３７ａがさらに屈曲されて中間部３６と平行となる方向に伸びるものとされる。そして、斯かる屈曲部３７の先端部分３７ａは、可動操作部材３５が引揚げ位置をとるとき、一対のリセプタクル側取付金属部材２６の夫々に設けられた一対の弾性片持片部３０に係合する状態をとる。屈曲部３７の先端部分３７ａが一対の弾性片持片部３０に係合する状態をとるときには、一対の弾性片持片部３０は、屈曲部３７についての位置規制を行う位置規制部を構成する。従って、一対のリセプタクル側取付金属部材２６の夫々には、可動操作部材３５が引揚げ位置をとるとき可動操作部材３５の一対の屈曲部３７の夫々についての位置規制を行う位置規制部が設けられていることになる。
【００５３】
斯かるもとで、配線基板２２に固定されたリセプタクルコネクタ２１のハウジング２４に可動操作部材３５が装着されるにあたっては、先ず、図１０及び図１１に示されるように、配線基板２２に固定されたリセプタクルコネクタ２１のハウジング２４に対して、可動操作部材３５が、それにおける一対の屈曲部３７の先端部分３７ａを配線基板２２に設けられた一対の矩形透孔２３に夫々対応する位置をとらせる状態をもって、対向配置される。
【００５４】
次に、図１２及び図１３に示されるように、可動操作部材３５がリセプタクルコネクタ２１のハウジング２４に向かう方向、即ち、図１２及び図１３における下方に移動せしめられる。その際、可動操作部材３５における一対の屈曲部３７の先端部分３７ａの夫々が、配線基板２２外から配線基板２２に設けられた一対の矩形透孔２３を通じてハウジング２４内へと移動せしめられ、一対のリセプタクル側取付金属部材２６の夫々に設けられた一対の弾性片持片部３０に当接して、当該一対の弾性片持片部３０をハウジング２４の内部へと弾性変位させ、相互対向する一対の弾性片持片部３０の各々の自由端部間の間隔を増大させる。
【００５５】
その後、図１２及び図１３における下方に移動せしめられる可動操作部材３５における一対の屈曲部３７の先端部分３７ａの夫々が、一対のリセプタクル側取付金属部材２６の夫々に設けられた一対の弾性片持片部３０の夫々の自由端部間を通過して、ハウジング２４内における所定の位置に到達するものとされ、それにより、配線基板２２に固定されたリセプタクルコネクタ２１のハウジング２４に可動操作部材３５が装着された状態が得られる。そして、ハウジング２４の内部へと弾性変位せしめられた一対の弾性片持片部３０の夫々は、自らの弾性復元力によって、元の位置に復帰する。
【００５６】
このようにして、配線基板２２に固定されたリセプタクルコネクタ２１のハウジング２４に装着された可動操作部材３５は、例えば、図１４に示されるように、例えば、引揚げ位置をとるものとされ、その際、可動操作部材３５における一対の屈曲部３７の先端部分３７ａの夫々が、一対のリセプタクル側取付金属部材２６の夫々に設けられた一対の弾性片持片部３０に係合する状態をとり、一対の弾性片持片部３０が、屈曲部３７についての位置規制を行う。
【００５７】
このようなもとで、配線基板２２におけるリセプタクルコネクタ２１が有するハウジング２４が固定された面が、配線基板１２におけるプラグコネクタ１１が有するハウジング１３が固定された面に対向するものとされて、配線基板２２が配線基板１２に対面近接して重ね合わせられるとき、本願発明に係る配線基板連結装置の一例を構成する第１のコネクタと第２のコネクタとを夫々成すプラグコネクタ１１とリセプタクルコネクタ２１とが相互係合状態をとる。斯かる際には、先ず、図１５に示されるように、配線基板１２を伴ったプラグコネクタ１1 に対して配線基板２２を伴ったリセプタクルコネクタ２１が対向配置される。
【００５８】
このとき、リセプタクルコネクタ２１のハウジング２４に配列配置された複数のリセプタクル側コンタクト２５が、プラグコネクタ１１のハウジング１３に配列配置された複数のプラグ側コンタクト１５に夫々対応する位置をとるものとされ、また、図１６に示されるように、リセプタクルコネクタ２１のハウジング２４に装着されたリセプタクル側取付金属部材２６に設けられた係合係止部３１が、プラグコネクタ１１のハウジング１３に装着されたプラグ側取付金属部材１６に設けられた係合係止部１９に対応する位置をとるものとされる。さらに、図１５に示されるように、リセプタクルコネクタ２１に備えられた可動操作部材３５が引揚げ位置をとるものとされ、図１６に示されるように、配線基板２２に設けられた矩形透孔２３に対応する位置におかれた可動操作部材３５における屈曲部３７の先端部分３７ａが、リセプタクル側取付金属部材２６に設けられた弾性片持片部３０に当接し、それにより、可動操作部材３５における屈曲部３７が位置規制された状態におかれる。
【００５９】
次に、配線基板２２が、リセプタクルコネクタ２１が有するハウジング２４が固定された面を配線基板１２のプラグコネクタ１１が有するハウジング１３が固定された面に近接させるべく移動せしめられると、リセプタクルコネクタ２１が有するハウジング２４のプラグコネクタ１１が有するハウジング１３との嵌合が開始され、それに伴って、リセプタクル側取付金属部材２６に設けられた係合係止部３１が、プラグ側取付金属部材１６に設けられた係合係止部１９との係合を開始する。斯かる際には、先ず、係合係止部３１を構成する突起部３３が有する傾斜面３３ｂが、プラグ側取付金属部材１６における係合係止部１９が形成された部分に当接しつつ配線基板１２に向かって移動し、その後、図１７に示されるように、係合係止部３１を構成する突起部３３の先端がプラグ側取付金属部材１６における係合係止部１９が形成された部分に当接する状態がとられる。それにより、突起部３３がプラグ側取付金属部材１６における係合係止部１９が形成された部分から押圧反力を受け、突起部３３が形成されたリセプタクル側取付金属部材２６における連結平板状部２８が、ハウジング２４に対し、突起部３３を伴ってリセプタクル側取付金属部材２６の内側に向かう方向に弾性揺動をもって移動して変位する。
【００６０】
その後、配線基板２２が、リセプタクルコネクタ２１が有するハウジング２４が固定された面を配線基板１２のプラグコネクタ１１が有するハウジング１３が固定された面に更に近接させるべく移動せしめられると、図１８に示されるように、リセプタクル側取付金属部材２６に設けられた係合係止部３１を構成する突起部３３が、それが有する傾斜面３３ａをプラグ側取付金属部材１６に設けられた係合係止部１９が形成するエッジ部分に当接させて、係合係止部１９に係合する。それにより、リセプタクルコネクタ２１における係合係止部３１がプラグコネクタ１１における係合係止部１９との係合状態におかれることになり、リセプタクルコネクタ２１が有するハウジング２４のプラグコネクタ１１が有するハウジング１３との嵌合が完了する。リセプタクル側取付金属部材２６の内側に向かう方向に弾性揺動をもって移動したリセプタクル側取付金属部材２６における連結平板状部２８は、その後、自らの弾性復元力によって元の状態に戻る。
【００６１】
続いて、リセプタクルコネクタ２１に備えられた可動操作部３５が、図１５に示されるように引揚げ位置をとる状態から、例えば、その中間部３６をハウジング２４に向かう方向に変位させる押込み操作が加えられて、押込み位置をとる状態に移行せしめられる。それに伴って、図１９に示されるように、可動操作部材３５における屈曲部３７の先端部分３７ａが、プラグ側取付金属部材１６に設けられた係合係止部１９に係合したリセプタクル側取付金属部材２６に設けられた係合係止部３１に当接もしくは近接した位置をとるものとされ、それにより、可動操作部材３５における屈曲部３７の先端部分３７ａによって、係合係止部３１を構成する突起部３３が形成されたリセプタクル側取付金属部材２６における連結平板状部２８の、ハウジング２４に対するリセプタクル側取付金属部材２６の内側に向かう方向の移動が阻止される。その結果、係合係止部３１の係合係止部１９に対する係合状態の解除が禁止されることになる。
【００６２】
このように、可動操作部材３５は、リセプタクルコネクタ２１が有するハウジング２４がプラグコネクタ１１が有するハウジング１３に嵌合したもとで押込み位置をとる状態におかれるとき、それにおける屈曲部３７の先端部分３７ａを係合係止部１９に係合した係合係止部３１に当接もしくは近接させて、係合係止部３１のハウジング２４に対するリセプタクル側取付金属部材２６の内側に向かう方向の移動を阻止し、係合係止部３１の係合係止部１９に対する係合状態の解除を禁止するものとされるのである。
【００６３】
上述においては、リセプタクルコネクタ２１に備えられた可動操作部材３５が引揚げ位置をとるものとされたもとで、リセプタクルコネクタ２１が有するハウジング２４のプラグコネクタ１１が有するハウジング１３との嵌合が開始され、それに伴って、リセプタクル側取付金属部材２６に設けられた係合係止部３１が、プラグ側取付金属部材１６に設けられた係合係止部１９との係合を開始するものとされたが、場合によっては、リセプタクルコネクタ２１に備えられた可動操作部材３５が押込み位置をとるものとされたもとで、リセプタクルコネクタ２１が有するハウジング２４のプラグコネクタ１１が有するハウジング１３との嵌合が開始され、それに伴って、リセプタクル側取付金属部材２６に設けられた係合係止部３１が、プラグ側取付金属部材１６に設けられた係合係止部１９との係合を開始するものとされることも考えられる。
【００６４】
斯かる場合には、図２０に示されるように、可動操作部材３５における屈曲部３７の先端部分３７ａによってハウジング２４に対するリセプタクル側取付金属部材２６の内側に向かう方向の移動が阻止された係合係止部３１を構成する突起部３３の先端が、プラグ側取付金属部材１６における係合係止部１９が形成された部分に当接するとき、係合係止部１９が形成されたプラグ側取付金属部材１６における短平板状部１６ｂが、係合係止部１９を伴ってプラグ側取付金属部材１６の外側に向かって弾性変位する。それにより、先端をプラグ側取付金属部材１６における係合係止部１９が形成された部分に当接させた突起部３３が、配線基板１２に向かって移動し得るものとされる。その後、突起部３３が、それが有する傾斜面３３ａをプラグ側取付金属部材１６に設けられた係合係止部１９が形成するエッジ部分に当接させて、係合係止部１９に係合する状態がとられ、リセプタクルコネクタ２１における係合係止部３１がプラグコネクタ１１における係合係止部１９との係合状態におかれることになる。プラグ側取付金属部材１６の外側に向かって弾性変位したプラグ側取付金属部材１６における短平板状部１６ｂは、その後、自らの弾性復元力によって元の状態に戻る。
【００６５】
係合係止部３１を構成する突起部３３が係合係止部１９に係合したもとにあっては、突起部３３が有する傾斜面３３ａが係合係止部１９が形成するエッジ部分に当接する状態がとられるので、たとえ、係合係止部３１を構成する突起部３３に配線基板１２から離隔せしめられることになる方向の力が作用する場合にも、斯かる力は係合係止部１９が形成するエッジ部分によって受け止められ、係合係止部１９が形成されたプラグ側取付金属部材１６における短平板状部１６ｂがプラグ側取付金属部材１６の外側に向かって弾性変位する事態はもたらされず、係合係止部３１の係合係止部１９に対する係合状態の解除が禁止される。
【００６６】
上述のようにして、リセプタクルコネクタ２１が有するハウジング２４がプラグコネクタ１１が有するハウジング１３に嵌合し、リセプタクルコネクタ２１における係合係止部３１のプラグコネクタ１１における係合係止部１９に対する係合状態の解除が禁止される状態がとられて、配線基板２２を伴ったリセプタクルコネクタ２１と配線基板１２を伴ったプラグコネクタ１１とが相互係合状態におかれることになる。
【００６７】
斯かるもとにあっては、図２１に示されるように、リセプタクルコネクタ２１のハウジング２４に配列配置された複数のリセプタクル側コンタクト２５における接触接続部２５ｂが、プラグコネクタ１１のハウジング１３に配列配置された複数のプラグ側コンタクト１５における接触接続部１５ｂに夫々接触接続される。それにより、複数のリセプタクル側コンタクト２５における基板接続部２５ａが夫々接続された配線基板２２に設けられた複数の配線端子部２２ａが、複数のリセプタクル側コンタクト２５及び複数のプラグ側コンタクト１５を介して、複数のプラグ側コンタクト１５における基板接続部１５ａが夫々接続された配線基板１２に設けられた複数の配線端子部１２ａに夫々連結され、配線基板１２と配線基板２２とが電気的に相互連結される。
【００６８】
また、このとき、図１９に示されるように、リセプタクルコネクタ２１のハウジング２４に装着されたリセプタクル側取付金属部材２６に設けられた係合係止部３１が、プラグコネクタ１１のハウジング１３に装着されたプラグ側取付金属部材１６に設けられた係合係止部１９との係合状態をとるので、リセプタクルコネクタ２１のハウジング２４のプラグコネクタ１１のハウジング１３からの不所望な離脱が阻止される。
【００６９】
リセプタクルコネクタ２１がプラグコネクタ１１に係合したもとで、必要に応じて、例えば、可動操作部材３５の中間部３６に装着された操作タグ３８が引き揚げられる操作が行われ、それに伴って可動操作部材３５が引揚げ位置をとるものとされるときには、係合係止部１９に係合した係合係止部３１に当接もしくは近接した位置におかれた可動操作部材３５における屈曲部３７の先端部分３７ａが、配線基板１２から離隔するように移動せしめられて配線基板２２に近接した位置をとるものとされる。それにより、係合係止部３１を構成する突起部３３が形成されたリセプタクル側取付金属部材２６における連結平板状部２８が、ハウジング２４に対し、突起部３３を伴ってリセプタクル側取付金属部材２６の内側に向かう方向に弾性揺動をもって移動し得るものとされて、係合係止部３１の係合係止部１９に対する係合状態の解除が許容される。その結果、リセプタクルコネクタ２１が備えるハウジング２４のプラグコネクタ１１が備えるハウジング１３からの離脱が可能とされて、リセプタクルコネクタ２１がプラグコネクタ１１との係合状態を解除し得るものとされる。
【００７０】
上述のようなプラグコネクタ１１とリセプタクルコネクタ２１とを含んで構成される本願発明に係る配線基板連結装置の一例によれば、プラグコネクタ１１が有するハウジング１３に装着されたプラグ側取付金属部材１６に設けられた係合係止部１９とリセプタクルコネクタ２１が有するハウジング２４に装着されたリセプタクル側取付金属部材２６に設けられた係合係止部３１とが、リセプタクルコネクタ２１におけるハウジング２４のプラグコネクタ１１におけるハウジング１３からの不所望な離脱を阻止する係止手段を構成するもとにおいて、係合係止部１９に係合した係合状態をとる係合係止部３１が、押込み位置をとる可動操作部材３５によって係合係止部１９との係合状態の解除が禁止されるものとされるので、プラグコネクタ１１が有するハウジング１３がリセプタクルコネクタ２１が有するハウジング２４との係合状態をとり、それに伴って、ハウジング２４に配列配置された複数のリセプタクル側コンタクト２５がハウジング１３に配列配置された複数のプラグ側コンタクト１５との接触接続状態をとる、プラグコネクタ１１とリセプタクルのコネクタ２１との相互係合状態を、極めて安定かつ堅固に維持することができる。
【００７１】
プラグコネクタ１１とリセプタクルコネクタ２１とが相互係合した状態におかれ、リセプタクルコネクタ２１が有するハウジング２４がプラグコネクタ１１が有するハウジング１３との係合状態をとったもとで、可動操作部材３５に押込み位置をとらせる操作は、例えば、ハウジング２４が固定された配線基板２２外に突出するものとされる可動操作部材３５の中間部３６を、配線基板２２外からハウジング２４内に向かう方向に押し込むだけの、極めて簡単で容易なものとされる。従って、特別な工具等の使用を必要としない極めて簡単で容易な操作により、しかも、プラグコネクタ１１及びリセプタクルコネクタ２１のいずれにも不所望な力を作用させることなく、ハウジング２４に装着されたリセプタクル側取付金属部材２６に設けられた係合係止部３１を、ハウジング１３に装着されたプラグ側取付金属部材１６に設けられた係合係止部１９との係合状態の解除が禁止される状態におくことができることになる。
【００７２】
さらに、プラグコネクタ１１とリセプタクルコネクタ２１とを含んで構成される本願発明に係る配線基板連結装置の一例にあっては、リセプタクルコネクタ２１が有するハウジング２４に装着されたリセプタクル側取付金属部材２６に設けられた係合係止部３１が、プラグコネクタ１１が有するハウジング１３に装着されたプラグ側取付金属部材１６に設けられた係合係止部１９との係合状態をとるもとで、押込み位置をとっていた可動操作部材３５が引揚げ位置をとるものとされると、可動操作部材３５による係合係止部３１の係合係止部１９との係合状態の解除禁止が解かれる。それにより、係合係止部３１の係合係止部１９に対する移動が可能とされ、係合係止部３１の係合係止部１９に対する係合状態の解除が許容されて、プラグコネクタ１１とリセプタクルコネクタ２１とを相互係合状態から解放することができる状態が得られる。
【００７３】
斯かるもとで、プラグコネクタ１１とリセプタクルコネクタ２１とが相互係合した状態におかれ、リセプタクルコネクタ２１が有するハウジング２４がプラグコネクタ１１が有するハウジング１３との係合状態をとったもとで、押込み位置をとっていた可動操作部材３５に引揚げ位置をとらせる操作は、例えば、ハウジング２４が固定された配線基板２２外に突出する可動操作部材３５の中間部３６を、ハウジング２４内から配線基板２２外に向かう方向に引き揚げるだけの、極めて簡単で容易なものとされる。従って、特別な工具等の使用を必要としない極めて簡単で容易な操作により、しかも、プラグコネクタ１１及びリセプタクルコネクタ２１のいずれにも不所望な力を作用させることなく、ハウジング２４に装着されたリセプタクル側取付金属部材２６に設けられた係合係止部３１についての、ハウジング１３に装着されたプラグ側取付金属部材１６に設けられた係合係止部１９との係合状態の解除禁止を解いて、プラグコネクタ１１とリセプタクルコネクタ２１とを相互係合状態から解放することができる状態におくことができる。
【産業上の利用可能性】
【００７４】
以上のような本願発明に係る配線基板連結装置は、第１の配線基板と第２の配線基板とを対面近接重ね合わせ連結によって電気的に相互連結するための機構を成すものであって、第１の配線基板を伴った第１のコネクタと第２の配線基板を伴った第２のコネクタとを含んで構成され、第２のコネクタにおける第２のハウジングの第１のコネクタにおける第１のハウジングからの不所望な離脱を阻止する係止手段を備え、斯かる手段により第１のコネクタと第２のコネクタとの相互係合状態を極めて安定かつ堅固に維持することができ、また、特別な工具等の使用を必要としない極めて簡単で容易な操作により、しかも、第１のコネクタ及び第２のコネクタのいずれにも不所望な力を作用させることなく、第２のコネクタにおける第２のハウジングを第１のコネクタにおける第１のハウジングから離脱させることができるものとして、様々な電子機器等に広く適用され得るものである。
【符号の説明】
【００７５】
１1 ・・・プラグコネクタ（第１のコネクタ），  １２，２２・・・配線基板，  １３，２４・・・ハウジング，  １４・・・横長凸部，  １５・・・プラグ側コンタクト（第１のコンタクト），  １５ａ，２５ａ・・・基板接続部，  １５ｂ，２５ｂ・・・接触接続部，  １６・・・プラグ側取付金属部材，  １６ａ・・・長平板状部，  １６ｂ・・・短平板状部，  １８，２９・・・グラウンド接続取付部，  １９，３１・・・係合係止部，  ２１・・・リセプタクルコネクタ（第２のコネクタ），  ２３・・・矩形透孔，  ２５・・・リセプタクル側コンタクト（第２のコンタクト），  ２６・・・リセプタクル側取付金属部材，  ２７・・・対向平板状部，  ２８・・・連結平板状部，  ３０・・・弾性片持片部，  ３３・・・突起部，  ３３ａ，３３ｂ・・・傾斜面，  ３５・・可動操作部材，  ３６・・・中間部，  ３７・・・屈曲部，  ３７ａ・・・（屈曲部３７の）先端部分，  ３８・・・操作タグ
【図１】
0005892377.tif 000002
【図２】
0005892377.tif 000003
【図３】
0005892377.tif 000004
【図４】
0005892377.tif 000005
【図５】
0005892377.tif 000006
【図６】
0005892377.tif 000007
【図７】
0005892377.tif 000008
【図８】
0005892377.tif 000009
【図９】
0005892377.tif 000010
【図１０】
0005892377.tif 000011
【図１１】
0005892377.tif 000012
【図１２】
0005892377.tif 000013
【図１３】
0005892377.tif 000014
【図１４】
0005892377.tif 000015
【図１５】
0005892377.tif 000016
【図１６】
0005892377.tif 000017
【図１７】
0005892377.tif 000018
【図１８】
0005892377.tif 000019
【図１９】
0005892377.tif 000020
【図２０】
0005892377.tif 000021
【図２１】
0005892377.tif 000022